(57)【要約】【課題】ユーザーに対してジャムの発生を効果的に報知する画像形成装置を提供する。【解決手段】画像形成装置１００は、画像形成部３と、搬送部５と、検出部６と、排出ローラー１３と、第１制御部８及び第２制御部１８とを備える。画像形成部３は、シートＳに画像を形成する。搬送部５は、シートＳを搬送路１０１〜１０３に沿って搬送する。検出部６は、搬送路１０１〜１０３におけるシートＳのジャムを検出する。排出ローラー１３は、シートＳを外部に排出する。第１制御部８及び第２制御部１８は、排出ローラー１３を制御する。検出部６がシートＳのジャムを検出した場合、ジャムを発生させたシートＳよりも搬送方向の下流に位置する先行シートＳが、排出ローラー１３によって保持された状態で停止するように、第２制御部１８は排出ローラー１３を制御する。【選択図】図１
2020194084.tif 000002
【特許請求の範囲】
【請求項１】
シートに画像を形成する画像形成部と、
前記シートを搬送路に沿って搬送する搬送部と、
前記搬送路における前記シートのジャムを検出する検出部と、
前記シートを外部に排出する排出ローラーと、
前記排出ローラーを制御する制御部と
を備え、
前記検出部が前記シートの前記ジャムを検出した場合、前記ジャムを発生させた前記シートよりも搬送方向の下流に位置する先行シートが、前記排出ローラーによって保持された状態で停止するように、前記制御部は前記排出ローラーを制御する、画像形成装置。
【請求項２】
前記搬送路には、複数の前記先行シートが存在し、
複数の前記先行シートのうち、前記搬送方向の最も上流に位置する前記先行シートが、前記排出ローラーによって保持された状態で停止するように、前記制御部は前記排出ローラーを制御する、請求項１に記載の画像形成装置。
【請求項３】
前記画像が形成された前記シートに対して後処理する後処理装置を更に備え、
前記後処理装置に前記排出ローラーが配置されている、請求項１又は請求項２に記載の画像形成装置。
【請求項４】
前記排出ローラーに関する第１モードと第２モードとの切り替えを受付ける操作部を更に備え、
前記第１モードは、前記ジャムが検出された場合に前記排出ローラーが前記先行シートを保持した状態で停止するモードを示し、
前記第２モードは、前記ジャムが検出された場合に前記排出ローラーが前記先行シートを保持した状態で停止しないモードを示す、請求項１から請求項３のいずれか１項に記載の画像形成装置。
【発明の詳細な説明】
【技術分野】
【０００１】
本発明は、画像形成装置に関する。
【背景技術】
【０００２】
特許文献１に記載の画像形成装置は、用紙ジャムが発生すると、用紙ジャムを発生させた記録媒体の搬送路下流に存在する用紙を排出トレイに全て排出する。
【先行技術文献】
【特許文献】
【０００３】
【特許文献１】特開２０１７−１５１１６５号公報
【発明の概要】
【発明が解決しようとする課題】
【０００４】
しかしながら、特許文献１に記載の画像形成装置は、ジョブが完了して全ての用紙を排出トレイに排出した状態と、用紙ジャムが発生して搬送路下流に存在する用紙を全て排出した状態との違いが分かり難い。したがって、ユーザーはジャムが発生したことに気づき難い。
【０００５】
本発明は、上記課題に鑑みてなされたものであり、ユーザーに対してジャムの発生を効果的に報知する画像形成装置を提供することを目的とする。
【課題を解決するための手段】
【０００６】
本発明の画像形成装置は、画像形成部と、搬送部と、検出部と、排出ローラーと、制御部とを備える。前記画像形成部は、シートに画像を形成する。前記搬送部は、前記シートを搬送路に沿って搬送する。前記検出部は、前記搬送路における前記シートのジャムを検出する。前記排出ローラーは、前記シートを外部に排出する。前記制御部は、前記排出ローラーを制御する。前記検出部が前記シートの前記ジャムを検出した場合、前記ジャムを発生させた前記シートよりも搬送方向の下流に位置する先行シートが、前記排出ローラーによって保持された状態で停止するように、前記制御部は前記排出ローラーを制御する。
【発明の効果】
【０００７】
本発明の画像形成装置によれば、ユーザーに対してジャムの発生を効果的に報知できる。
【図面の簡単な説明】
【０００８】
【図１】本発明の実施形態に係る画像形成装置の構成を示す図である。
【図２】本発明の実施形態に係る画像形成装置の排出ローラーの近傍を示す図である。
【図３】本発明の実施形態に係る制御部の動作を示すフローチャートである。
【図４】本発明の実施形態に係る制御部のジャム処理における動作を示すフローチャートである。
【発明を実施するための形態】
【０００９】
以下、本発明の実施形態について、図面を参照しながら説明する。なお、図中、同一又は相当部分については同一の参照符号を付して説明を繰り返さない。また、図中に、互いに直交するＸ軸、Ｙ軸及びＺ軸を示す。Ｚ軸は鉛直面に平行であり、Ｘ軸及びＹ軸は水平面に平行である。
【００１０】
図１を参照して、本発明の実施形態に係る画像形成装置１００の構成について説明する。図１は、本発明の実施形態に係る画像形成装置１００を示す図である。本実施形態において、画像形成装置１００は、電子写真方式のカラー複合機である。複合機は、例えば、複写機能、印刷機能、及びファクシミリ機能のうち少なくとも２つの機能を有する。
【００１１】
図１に示すように、画像形成装置１００は、本体部１と、後処理装置１０とを備える。なお、理解を容易にするために、図１では一部の記載を省略している。
【００１２】
本体部１は、トナーを用いてシートＳに画像を形成する。本体部１は、筐体１ａと、給送部２と、画像形成部３と、定着部４と、第１搬送部５１と、第１検出部６１と、操作部７と、第１制御部８と、第１記憶部９と、第１通信部Ｔ１とを備える。
【００１３】
筐体１ａは、給送部２と、画像形成部３と、定着部４と、第１搬送部５１と、第１検出部６１と、操作部７と、第１制御部８と、第１記憶部９と、第１通信部Ｔ１とを収納する。筐体１ａの後処理装置１０側の側面には、受渡口５１ａが設けられている。
【００１４】
給送部２は、カセット２１を有する。カセット２１は、筐体１ａの下部に配置される。カセット２１は、筐体１ａの下部から着脱可能である。カセット２１は、複数のシートＳを収納する。以下、カセット２１に収納された状態のシートＳを「シートＳ１」と記載することがある。
【００１５】
シートＳは、例えば、普通紙、コピー紙、再生紙、薄紙、厚紙、光沢紙、又はＯＨＰ（Ｏｖｅｒｈｅａｄ  Ｐｒｏｊｅｃｔｏｒ）シートである。シートＳは、所定の経路に沿って、給送部２から後処理装置１０まで搬送される。
【００１６】
画像形成部３は、複数の色のトナーを用いてシートＳに画像を形成する。画像形成部３は、複数色のトナーのいずれかに対応する複数の画像形成ユニット３１ｙ、３１ｃ、３１ｍ、３１ｋと、中間転写ベルト３５と、２次転写ローラー３６とを有する。
【００１７】
画像形成ユニット３１ｙは、イエロー色のトナーに対応する。画像形成ユニット３１ｃは、シアン色のトナーに対応する。画像形成ユニット３１ｍは、マゼンタ色のトナーに対応する。画像形成ユニット３１ｋは、ブラック色のトナーに対応する。
【００１８】
画像形成ユニット３１ｙは、像担持体３１と、帯電装置３２と、露光装置（不図示）、現像装置３３と、１次転写ローラー３４とを有する。帯電装置３２は、像担持体３１の外周面を所定電位に帯電させる。帯電された像担持体３１の外周面には、露光装置によってレーザー光が照射される。この結果、像担持体３１の外周面に、画像データに基づく静電潜像が形成される。現像装置３３は、像担持体３１の外周面にトナーを供給する。この結果、静電潜像がトナー像として現像される。像担持体３１と１次転写ローラー３４とは、１次転写ニップを形成し、１次転写ニップを通過する中間転写ベルト３５にトナー像を転写する。
【００１９】
各画像形成ユニット３１ｃ、３１ｍ、３１ｋは、画像形成ユニット３１ｙと同様に構成されるため、ここでの説明は省略する。中間転写ベルト３５と２次転写ローラー３６とは、２次転写ニップを形成する。２次転写ニップを通過するシートＳにトナー像が転写される。
【００２０】
定着部４は、シートＳに転写されたトナー像をシートＳに定着させる。定着部４は、加熱ローラー４１と、加圧ローラー４２とを有する。トナー像が定着されたシートＳは、受渡口５１ａを介して、後処理装置１０に受け渡される。
【００２１】
第１搬送部５１は、シートＳを搬送路に沿って搬送する。第１搬送部５１は、複数の搬送ローラー５５、複数のガイド（不図示）、及び複数の分岐爪（不図示）を有する。搬送路は、複数の搬送ローラー５５、複数のガイドによって形成される。搬送路は、分岐爪によって、切り替えられる。第１搬送部５１には、主搬送路１０１と、反転搬送路１０２とが形成されている。主搬送路１０１は、給送部２から受渡口５１ａまで延びる搬送路である。反転搬送路１０２は、主搬送路１０１から分岐して、主搬送路１０１に合流する搬送路である。シートＳは、反転搬送路１０２を搬送される間に表裏が反転する。第１搬送部５１は、主搬送路１０１に沿って、シートＳを搬送している。以下、主搬送路１０１に沿って搬送されている状態のシートＳを「シートＳ２」、又は「シートＳ３」と記載することがある。第１搬送部５１は、後述する第２搬送部５２とともに搬送部５を構成する。
【００２２】
第１検出部６１は、搬送路におけるシートＳのジャムを検出する。具体的には、第１検出部６１は、主搬送路１０１及び反転搬送路１０２を通過するシートＳの先端と終端とを検出する。第１検出部６１は、シートＳの先端の通過を示す信号と、シートＳの終端の通過を示す信号とを第１制御部８に送信する。第１制御部８は、第１検出部６１から受信した信号に基づいて、シートＳの通過時間を算出する。第１制御部８は、算出した通過時間と、第１記憶部９が記憶する所定の通過時間とを比較してシートＳのジャムを検出する。第１検出部６１は、例えば、フォトセンサーによって構成される。第１検出部６１は、検出部６の一例である。
【００２３】
操作部７は、ユーザーによる操作を受付ける。また、操作部７は、各種の画面を表示する。操作部７が表示する画面は、ジャムの発生、ジャムの対処方法を示す画面を含む。本実施形態において、操作部７は、タッチパネルを含む。タッチパネルは、表示部（例えば、液晶ディスプレー）、及び入力部（例えば、タッチセンサー）を有する。
【００２４】
第１制御部８は、ＣＰＵ（Ｃｅｎｔｒａｌ  Ｐｒｏｃｅｓｓｉｎｇ  Ｕｎｉｔ）のようなプロセッサーによって構成される。第１制御部８は、第１記憶部９に記憶された機能プログラムを実行することにより、本体部１の各部の動作を制御する。第１制御部８は、制御部の一例である。
【００２５】
第１記憶部９は、機能プログラム及び各種データを記憶する。第１記憶部９は、半導体メモリーのような主記憶装置と、半導体メモリー及び／又はハードディスクドライブのような補助記憶装置とを含む。
【００２６】
第１通信部Ｔ１は、後処理装置１０との間で各種の情報を通信する。各種の情報は、例えば、ジャム情報、後処理情報、及び完了情報を含む。ジャム情報は、ジャムの発生と、ジャムの発生位置と、ジャムを発生させたシートＳに先行するシートＳの有無と、先行するシートＳの枚数を示す。ジャムを発生させたシートＳに先行するシートＳを「先行シートＳ」と記載する場合がある。後処理情報は、シートＳに実施する後処理の有無、及びシートＳに実施する後処理の内容を示す。完了情報は、後処理装置１０がシートＳへの後処理を完了したことを示す。
【００２７】
引き続き図１を参照して後処理装置１０を説明する。後処理装置１０は、画像が形成されたシートＳに対して後処理する。後処理装置１０は、本体部１の受渡口５１ａ側に並べて配置される。後処理装置１０は、受渡口５１ａから受け渡されたシートＳを受け取って、シートＳに後処理する。後処理装置１０は、後処理されたシートＳを画像形成装置１００の外部に排出する。後処理は、具体的には、パンチング処理、ステープル処理、及び中折り処理である。
【００２８】
後処理装置１０は、筐体１０ａと、パンチング装置１１と、ステープル装置１２と、中折り装置（不図示）と、排出ローラー１３と、排出トレイ１４と、第２搬送部５２と、第２検出部６２と、第２制御部１８と、第２記憶部１９と、第２通信部Ｔ２とを備える。
【００２９】
筐体１０ａは、パンチング装置１１と、ステープル装置１２と、中折り装置と、排出ローラー１３と、第２搬送部５２と、第２検出部６２と、第２制御部１８と、第２記憶部１９と、第２通信部Ｔ２とを収納する。
【００３０】
筐体１０ａの側面のうち、本体部１と対向する側面には、本体部１からシートＳを受け取る受取口５２ａが形成されている。筐体１０ａの側面のうち、本体部１とは反対側の側面には、排出口５２ｂが形成されている。
【００３１】
パンチング装置１１は、画像が形成されたシートＳにパンチング処理を施す。パンチング装置１１は、筐体１０ａの上側に配置される。ステープル装置１２は、画像が形成されたシートＳにステープル処理を施す。ステープル装置１２は、パンチング装置１１の下側に配置される。中折り装置は、画像が形成されたシートＳに中折り処理を施す。中折り装置は、筐体１０ａの下側に配置される。
【００３２】
排出ローラー１３は、後処理搬送路１０３に沿って搬送されたシートＳを、排出口５２ｂを介して外部に排出する。排出ローラー１３は、後処理装置１０に配置されている。排出ローラー１３は、例えば、シートＳを排出する。以下、排出口５２ｂから排出される途中のシートを「シートＳ４」と記載することがある。排出ローラー１３は、第１排出ローラー１３ａと、第２排出ローラー１３ｂとを含む。第１排出ローラー１３ａ、及び第２排出ローラー１３ｂは、回転軸の周りを回転する。詳しくは、第１排出ローラー１３ａ、及び第２排出ローラー１３ｂは、ローラー駆動部（不図示）の駆動力によって回転軸の周りを回転する。ローラー駆動部は、駆動源としてのモーターを有する。排出ローラー１３は、第２制御部１８により制御される。具体的には、第２制御部１８は、ローラー駆動部を制御することによって、排出ローラー１３の回転を制御する。
【００３３】
排出トレイ１４は、後処理されたシートＳが積載される。排出トレイ１４は、排出口５２ｂの下側に配置される。
【００３４】
第２搬送部５２は、シートＳを搬送路に沿って搬送する。第２搬送部５２は、複数の搬送ローラー５５、複数のガイド（不図示）、及び複数の分岐爪（不図示）を有する。搬送路は、複数の搬送ローラー５５、複数のガイドによって形成される。搬送路は、分岐爪によって切り替えられる。第２搬送部５２には、シートＳを搬送するための後処理搬送路１０３が形成されている。後処理搬送路１０３は、受取口５２ａから排出口５２ｂまで延びる搬送路である。後処理搬送路１０３には、シートＳ、Ｓ４が搬送されている。第２搬送部５２は、第１搬送部５１とともに搬送部５を構成する。
【００３５】
第２検出部６２は、搬送路におけるシートＳのジャムを検出する。具体的には、第２検出部６２は、後処理搬送路１０３を通過するシートＳの先端と終端とを検出する。第２検出部６２は、シートＳの先端の通過を示す信号と、シートＳの終端の通過を示す信号とを第２制御部１８に送信する。第２制御部１８は、第２検出部６２から受信した信号に基づいて、シートＳの通過時間を算出する。第２制御部１８は、算出した通過時間と、第２記憶部１９が記憶する所定の通過時間とを比較してシートＳのジャムを検出する。第２検出部６２は、例えば、フォトセンサーによって構成される。第２検出部６２は、検出部６の一例である。
【００３６】
第２制御部１８は、ＣＰＵ（Ｃｅｎｔｒａｌ  Ｐｒｏｃｅｓｓｉｎｇ  Ｕｎｉｔ）のようなプロセッサーによって構成される。第２制御部１８は、第２記憶部１９に記憶された機能プログラムを実行することにより、本体部１の各部の動作を制御する。第２制御部１８は、制御部の一例である。
【００３７】
第２記憶部１９は、機能プログラム及び各種データを記憶する。第２記憶部１９は、半導体メモリーのような主記憶装置と、半導体メモリー及び／又はハードディスクドライブのような補助記憶装置とを含む。
【００３８】
第２通信部Ｔ２は、本体部１との間で、より具体的には第１通信部Ｔ１との間で、各種の情報を通信する。
【００３９】
引き続き図１及び図２を参照して、第１制御部８及び第２制御部１８による制御についてより詳細に説明する。検出部６がシートＳのジャムを検出した場合、ジャムを発生させたシートＳよりも搬送方向の下流に位置する先行シートＳが、排出ローラー１３によって保持された状態で停止するように、第２制御部１８は排出ローラー１３を制御する。
【００４０】
例えば、主搬送路１０１を搬送されているシートＳ２がジャムを発生させた場合、第１検出部６１がジャムの発生を検出する。第１制御部８は、シートＳ２よりも搬送方向の下流に位置する先行シートＳを特定する。第１制御部８は、第１通信部Ｔ１を介して、ジャム情報を第２制御部１８に送信する。第２制御部１８は、第２通信部Ｔ２を介して、ジャム情報を受信する。本実施形態において、先行シートＳは、シートＳ３、及びシートＳ４である。第２制御部１８は、例えば、シートＳ４が排出ローラー１３によって保持された状態で停止するように排出ローラー１３を制御する。第１制御部８は、シートＳ２のジャムの発生、シートＳ３のジャムの発生及びシートＳ４のジャムの発生を報知するメッセージを表示するように操作部７の表示部を制御する。シートＳ４のジャムの発生を報知するメッセージは、シートＳ４を排出ローラー１３によって保持していることを示すメッセージである。
【００４１】
後処理搬送路１０３を搬送されているシートＳがジャムを発生させた場合、第２検出部６２がジャムの発生を検出する。第２制御部１８は、ジャムを発生させたシートＳよりも搬送方向の下流に位置する先行シートＳを特定する。第２制御部１８は、例えば、シートＳ４が排出ローラー１３によって保持された状態で停止するように排出ローラー１３を制御する。第２制御部１８は、第２通信部Ｔ２を介して、ジャム情報を第１制御部８に送信する。第１制御部８は、後処理装置１０におけるジャムの発生を報知するメッセージを表示するように操作部７の表示部を制御する。
【００４２】
排出ローラー１３は、シートＳ４を保持した状態で停止する。したがって、ユーザーは、排出ローラー１３にシートＳ４が保持されている状態を目視し易い。その結果、ジャムの発生をユーザーに効果的に報知できる。特に、ユーザーが排出トレイ１４の近くにいれば、操作部７の表示部と排出トレイ１４とが離れていても、ユーザーは表示部を見ることなくジャムの発生に気づくことができる。
【００４３】
なお、複数のシートＳに画像を形成するジョブを実行中にジャムが発生した場合、操作部７の表示部には、シートＳ４の位置を含めてジャムの発生位置が表示される。したがって、ユーザーが表示部でジャムの発生位置を確認した場合、先行シートＳが排出トレイ１４に排出されているとしても、ユーザーは、排出ローラー１３に保持されているシートＳ４を抜き取りに行くため、先行シートＳの存在に気づき易い。その結果、排出トレイ１４に排出された先行シートＳが放置されることを抑制できる。
【００４４】
特に、本体部１と後処理装置１０との間にデカーラが配置されていることによって、本体部１と後処理装置１０との間が遠く離れている場合であれば、先行シートＳが放置されることを抑制できる。
【００４５】
次に、図１及び図２を参照して、搬送路に複数の先行シートＳが存在する場合のより好適な停止状態について説明する。図２は、画像形成装置１００の排出ローラー１３の近傍を示す図である。
【００４６】
搬送路に複数の先行シートＳが存在する場合、複数の先行シートＳのうち、搬送方向の最も上流に位置する先行シートＳが、排出ローラー１３によって保持された状態で停止するように、第２制御部１８は排出ローラー１３を制御する。
【００４７】
例えば、図１に示す主搬送路１０１を搬送されているシートＳ２がジャムを発生させた場合、搬送方向の最も上流に位置する先行シートＳはシートＳ３である。この場合、第２制御部１８は、シートＳ３が排出ローラー１３によって保持された状態で停止するように排出ローラー１３を制御する。
【００４８】
後処理搬送路１０３を搬送されているシートＳがジャムを発生させた場合、第２制御部１８は、搬送方向の最も上流に位置する先行シートＳを選択する。第２制御部１８は、選択した先行シートＳが、排出ローラー１３によって保持された状態で停止するように排出ローラー１３を制御する。
【００４９】
先行シートＳのうち、搬送方向の最も上流に位置するシートＳ以外は排出される。したがって、ユーザーは、搬送方向の最も上流に位置するシートＳ以外のシートＳを使用できる。なお、搬送方向の最も上流に位置する先行シートＳのことを、「最終シートＳ」と記載する場合がある。
【００５０】
なお、ジャムが発生した場合に、先行シートＳを排出ローラー１３で保持した状態で画像形成装置１００が停止するか否かは、ユーザーが切り換えられる。
【００５１】
具体的には、操作部７は、排出ローラー１３に関する第１モードと第２モードとの切り替えを受付ける。第１モードは、ジャムが検出された場合に排出ローラー１３が先行シートＳを保持した状態で停止するモードを示す。第２モードは、ジャムが検出された場合に排出ローラー１３が先行シートＳを保持した状態で停止しないモードを示す。
【００５２】
画像形成装置１００が先行シートＳを排出ローラー１３で保持した状態で停止するか否かをユーザーが切り替えられる。したがって、ユーザーは使用状況に応じて適切な報知方法を選択できる。
【００５３】
次に、図３及び図４を参照して、シート搬送を実行する際の第１制御部８及び第２制御部１８の処理について説明する。図３は、本発明の実施形態に係る第１制御部８及び第２制御部１８の動作を示すフローチャートである。図３に示すように、第１制御部８及び第２制御部１８は、ステップＳ１０１〜ステップＳ１０６の各処理を実行する。
【００５４】
図３に示す動作は、ユーザーが操作部７を操作して画像形成を指示すると、開始する。
【００５５】
ステップＳ１０１において、第１制御部８及び第２制御部１８が、シートＳの搬送を開始するように第１搬送部５１及び第２搬送部５２を制御する。処理はステップＳ１０２に進む。
【００５６】
ステップＳ１０２において、第１検出部６１の検出結果に基づいて、第１搬送部５１でジャムが検出されたか否かを第１制御部８が判定する。第１搬送部５１でジャムが検出されたと第１制御部８が判定した場合（ステップＳ１０２のＹｅｓ）は、処理はステップＳ１０３に進む。第１搬送部５１でジャムは検出されなかったと第１制御部８が判定した場合（ステップＳ１０２のＮｏ）は、処理はステップＳ１０４に進む。
【００５７】
ステップＳ１０３において、第１制御部８は、ジャム情報を第２制御部１８に送信するとともに、「ジャム処理」を実行する。ジャム処理とは、ジャムの発生に応じて、第１制御部８及び第２制御部１８が実行する処理を示す。ジャム処理が完了すると、図３に示す処理は終了する。ジャム処理については、図４を参照して後に説明する。
【００５８】
ステップＳ１０４において、第２検出部６２の検出結果に基づいて、第２搬送部５２でジャムが検出されたか否かを第２制御部１８が判定する。第２搬送部５２でジャムが検出されたと第２制御部１８が判定した場合（ステップＳ１０４のＹｅｓ）は、処理はステップＳ１０５に進む。第２搬送部５２でジャムは検出されなかったと第２制御部１８が判定した場合（ステップＳ１０４のＮｏ）は、処理はステップＳ１０６に進む。
【００５９】
ステップＳ１０５において、第２制御部１８は、ジャム情報を第１制御部８に送信するとともに、ジャム処理を実行する。ジャム処理が完了すると、図３に示す処理は終了する。
【００６０】
ステップＳ１０６において、シート搬送が完了したか否かを第１制御部８及び第２制御部１８が判定する。シート搬送が完了したと第１制御部８及び第２制御部１８が判定した場合（ステップＳ１０６のＹｅｓ）は、図３に示す処理は終了する。シート搬送が完了していないと第１制御部８及び第２制御部１８が判定した場合（ステップＳ１０６のＮｏ）は、処理はステップＳ１０２に進む。
【００６１】
次に、図４を参照して、第１制御部８及び第２制御部１８のジャム処理について説明する。図４は、本発明の実施形態に係る第１制御部８及び第２制御部１８のジャム処理における動作を示すフローチャートである。図４に示すように、第１制御部８及び第２制御部１８は、ステップＳ２０１〜ステップＳ２０５の各処理を実行する。
【００６２】
ステップＳ２０１において、第１制御部８は、ジャムの発生を報知するように操作部７の表示部を制御する。
【００６３】
ステップＳ２０２において、ジャムを発生させたシートＳよりも搬送方向の下流に先行シートＳがあるか否かを、第１制御部８又は第２制御部１８が判定する。先行シートＳがあると第１制御部８又は第２制御部１８が判定した場合（ステップＳ２０２のＹｅｓ）は、処理はステップＳ２０３に進む。先行シートＳがないと第１制御部８又は第２制御部１８が判定した場合（ステップＳ２０２のＮｏ）は、図４に示す処理が終了するとともに、図３に示す処理も終了する。
【００６４】
ステップＳ２０３において、先行シートＳが最終シートＳであるか否かを、第１制御部８又は第２制御部１８が判定する。最終シートＳであると第１制御部８又は第２制御部１８が判定した場合（ステップＳ２０３のＹｅｓ）は、処理はステップＳ２０５に進む。最終シートＳではないと第１制御部８又は第２制御部１８が判定した場合（ステップＳ２０３のＮｏ）は、処理はステップＳ２０４に進む。
【００６５】
ステップＳ２０４において、搬送部５は搬送方向の下流にある先行シートＳを排出トレイ１４に排出する。処理はステップＳ２０３に進む。
【００６６】
ステップＳ２０５において、第２制御部１８は、最終シートＳが排出ローラー１３に保持された状態で停止するように、排出ローラー１３を制御する。図４に示す処理は終了するとともに、図３に示す処理も終了する。
【００６７】
以上、図１〜図４を参照して説明したように、本発明の実施形態によれば、画像形成装置１００は、検出部６がシートＳのジャムを検出した場合、ジャムを発生させたシートＳよりも搬送方向の下流に位置する先行シートＳを、排出ローラー１３が保持した状態で停止する。したがって、画像形成装置１００は、ジャムの発生をユーザーに効果的に報知できる。
【００６８】
以上、図面を参照して本発明の実施形態について説明した。ただし、本発明は、上記の実施形態に限られるものではなく、その要旨を逸脱しない範囲で種々の態様において実施できる（例えば、下記に示す（１）及び（２））。また、上記の実施形態に開示される複数の構成要素は適宜改変可能である。例えば、ある実施形態に示される全構成要素のうちのある構成要素を別の実施形態の構成要素に追加してもよく、又はある実施形態に示される全構成要素のうちのいくつかの構成要素を実施形態から削除してもよい。
【００６９】
また、図面は、発明の理解を容易にするために、それぞれの構成要素を主体に模式的に示しており、図示された各構成要素の厚さ、長さ、個数、間隔等は、図面作成の都合上から実際とは異なる場合もある。また、上記の実施形態で示す各構成要素の構成は一例であって、特に限定されるものではなく、本発明の効果から実質的に逸脱しない範囲で種々の変更が可能であることは言うまでもない。
【００７０】
（１）本発明の実施形態では、画像形成装置１００はカラー複合機であるが、本発明はこれに限定されない。画像形成装置１００はシートＳに画像を形成すればよい。例えば、画像形成装置１００はモノクロ複合機でもよいし、画像形成装置１００はカラープリンター又はモノクロプリンターでもよい。
【００７１】
（２）本発明の実施形態では、画像形成装置１００は電子写真方式であるが、本発明はこれに限定されない。画像形成装置１００はインクジェット方式であってもよい。
【産業上の利用可能性】
【００７２】
本発明は、例えば、画像形成装置に利用できる。
【符号の説明】
【００７３】
１      本体部
３      画像形成部
５      搬送部
６      検出部
８      第１制御部（制御部）
１０    後処理装置
１３    排出ローラー
１８    第２制御部（制御部）
５１    第１搬送部（搬送部）
５２    第２搬送部（搬送部）
６１    第１検出部（検出部）
６２    第２検出部（検出部）
１００  画像形成装置
Ｓ      シート
【図１】
2020194084.tif 000003
【図２】
2020194084.tif 000004
【図３】
2020194084.tif 000005
【図４】
2020194084.tif 000006